(57)【特許請求の範囲】
【請求項１】
カップ部の最下点より下方に土台部が形成されていないアンダーフリータイプのカップ部を有する衣類であって、
左右一対の前記カップ部と、
前記カップ部の下縁に沿って前記カップ部の前中心側から脇側にかけて設けられた円弧状のワイヤ部と、
背側に延在するバック部と、
前記カップ部の肌側の下部に縫着され、前記ワイヤ部に沿って帯状に延びる帯状部材とを備え、
前記帯状部材は、少なくとも、前記前中心側及び前記脇側の両方において、１〜４．５ｃｍの幅を有し、
前記帯状部材は、下縁が前記ワイヤ部に連結され、着用時に前記ワイヤ部における着用者のバストを挟む力を補強することを特徴とするカップ部を有する衣類。
【請求項２】
前記帯状部材は、前記カップ部よりも硬い材料から形成されていることを特徴とする請求項１に記載のカップ部を有する衣類。
【請求項３】
前記帯状部材の材料は、前記カップ部に隣接する側よりも肌側の方が柔らかいことを特徴とする請求項１または２に記載のカップ部を有する衣類。
【請求項４】
前記カップ部におけるバストトップに対応する位置より下方であって前記帯状部材までの領域が、肌側に膨らんでいること、もしくは着脱自在に取り付けられたパッドを有することを特徴とする請求項１〜３のいずれか一項に記載のカップ部を有する衣類。
【請求項５】
前記左右一対のカップ部を連結する土台部を更に備えることを特徴とする請求項１〜４のいずれか一項に記載のカップ部を有する衣類。
【請求項６】
前記帯状部材は、前記カップ部の最下点から、それぞれ前記ワイヤ部の前中心末端と脇側末端に向けて長さの２／３までの領域に配置されていることを特徴とする請求項１〜５のいずれか一項に記載のカップ部を有する衣類。
【請求項７】
前記帯状部材は、前中心側端部が前記カップ部の上縁に、脇側端部が前記カップ部の脇縁にそれぞれ取り付けられていることを特徴とする請求項１〜５の何れか一項に記載のカップ部を有する衣類。
【請求項８】
前記帯状部材は、当該帯状部材の全長にわたって、一定の幅を有することを特徴とする請求項１〜７の何れか一項に記載のカップ部を有する衣類。
【発明の詳細な説明】
【技術分野】
【０００１】
本発明は、カップ部を有する衣類に関する。
【背景技術】
【０００２】
従来、このような分野の技術として、特開２００２−１１５１０５号公報がある。この公報に記載されたブラジャーは、椀状に形成されたカップ部と、湾曲したワイヤ部と、背側に延びるバック部とを備える。そして、カップ部の表側に伸び抑制布を縫着することで、バストの造形性及び着用感の向上を両立させる。
【先行技術文献】
【特許文献】
【０００３】
【特許文献１】特開２００２−１１５１０５号公報
【発明の概要】
【発明が解決しようとする課題】
【０００４】
しかしながら、上記文献に記載のブラジャーでは、バストの造形性及び着用感の向上を両立させるのが困難であった。具体的には、上述のブラジャーでは、着用の際に広がったワイヤ部が元に戻ろうとする力を利用して、バストを挟み押し上げることでバストの形を整える（造形する）。バストの造形性を高めるためには、ワイヤ部の挟む力を強くすることが必要である。しかし、ワイヤ部の挟む力を強くすると、ワイヤ部の肌当たりも強くなり、また、これによって脇側からバストのボリュームがはみ出しやすくなるので、ブラジャーの着用感が低下してしまう問題がある。
【０００５】
このような問題は、土台部を弱くしたブラジャー（すなわち、アンダーが弱いタイプ）とアンダーフリーとしたブラジャーに特に生じやすい。これらのブラジャーは、窮屈感を軽減させるために、アンダーにかかる力を弱くしている。このため、アンダーが安定しにくく、ワイヤ部がしっかりとバストを挟むことができず、カップ部がバストの重さでずり下がり、ワイヤ部の違和感を感じやすく、着用感及び造形性が低下してしまう。
【０００６】
本発明は、このような技術課題を解決するためになされたものであって、バストの造形性の向上及び良い着用感との両立を可能にするカップ部を有する衣類を提供することを目的としている。
【課題を解決するための手段】
【０００７】
本発明に係るカップ部を有する衣類は、カップ部の最下点より下方に土台部が形成されていないアンダーフリータイプのカップ部を有する衣類であって、左右一対のカップ部と、カップ部の下縁に沿ってカップ部の前中心側から脇側にかけて設けられた円弧状のワイヤ部と、背側に延在するバック部と、カップ部の肌側の下部に縫着され、ワイヤ部に沿って帯状に延びる帯状部材とを備え、帯状部材は、少なくとも、前中心側及び脇側の両方において、１〜４．５ｃｍの幅を有し、帯状部材は、下縁がワイヤ部に連結され、着用時にワイヤ部における着用者のバストを挟む力を補強することを特徴とする。
【０００８】
本発明に係るカップ部を有する衣類によれば、帯状部材はその下縁がワイヤ部に連結され、着用時にワイヤ部が着用者のバストを挟む力を補強するので、バストの造形性を向上することができる。すなわち、着用時にワイヤ部が元に戻ろうとする力がそれに連結する帯状部材に伝わり、帯状部材がその力を受けて、バスト下部のボリュームを挟んで上方に押し上げる。このようにワイヤ部と帯状部材の協働でワイヤ部の挟む力を効果的にバストに伝えることができ、バストを支える力をアップすることが可能になる。
【０００９】
しかも、従来と比べてバストを挟んで押し上げる領域が大きくなるので、バストをサポートする効果を高めることでき、バストの造形性を確実に向上することができる。また、これによって肌に触れる領域も大きくなり、ワイヤ部の肌当たりを和らげることができると共に、脇側からバストのボリュームがはみ出しやすい問題を防止することができる。その結果、良い着用感を維持することができる。
【００１０】
本発明に係るカップ部を有する衣類において、帯状部材は、カップ部よりも硬い材料から形成されていることが好適である。このようにすれば、バスト下部のボリュームを挟んで押し上げる効果を高めることができ、バストの造形性の向上を図りやすくなる。
【００１１】
本発明に係るカップ部を有する衣類において、帯状部材の材料は、カップ部に隣接する側よりも肌側の方が柔らかいことが好適である。このようにすれば、バスト下部のボリュームを挟んで押し上げる効果を高めることができると共に、肌に優しく触れるので、着用感の向上を図ることができる。
【００１２】
本発明に係るカップ部を有する衣類において、カップ部におけるバストトップに対応する位置より下方であって帯状部材までの領域が、肌側に膨らんでいること、もしくは着脱自在に取り付けられたパッドを有することが好適である。このようにすれば、バスト下部のボリュームを効果的に押し上げることで、バストに豊かな膨らみを持たせて自然なシルエットを造形することができる。
【００１３】
本発明に係るカップ部を有する衣類において、左右一対のカップ部を連結する土台部を更に備えることが好適である。このようにすれば、カップ部の安定性を高めることができるので、カップ部のズレの発生を防止し、良い着用感を維持することができる。
【００１４】
本発明に係るカップ部を有する衣類において、帯状部材は、カップ部の最下点から、それぞれワイヤ部の前中心末端と脇側末端に向けて長さの２／３までの領域に配置されていることが好適である。このようにすれば、バスト下部のボリュームに対応する領域に帯状部材を配置させることで、バストを挟んで上方に押し上げる効果を確保することができる。
本発明に係るカップ部を有する衣類において、帯状部材は、前中心側端部がカップ部の上縁に、脇側端部がカップ部の脇縁にそれぞれ取り付けられている構成でもよい。
本発明に係るカップ部を有する衣類において、帯状部材は、当該帯状部材の全長にわたって、一定の幅を有する構成でもよい。
【発明の効果】
【００１５】
本発明によれば、バストの造形性の向上及び良い着用感との両立を可能にするカップ部を有する衣類を提供することができる。
【図面の簡単な説明】
【００１６】
【図１】第１実施形態に係るブラジャーの肌側を示す正面図である。
【図２】図１におけるＩＩ−ＩＩ線に沿った断面図である。
【図３】帯状部材の変形例を示す正面図である。
【図４】帯状部材の変形例を示す正面図である。
【図５】帯状部材の変形例を示す正面図である。
【図６】第２実施形態に係るブラジャーの肌側を示す正面図である。
【図７】第３実施形態に係るブラジャーの肌側を示す正面図である。
【図８】第４実施形態に係るブラジャーの肌側を示す正面図である。
【図９】図８におけるＩＸ−ＩＸ線に沿った断面図である。
【発明を実施するための形態】
【００１７】
以下、図面を参照して本発明に係るカップ部を有する衣類の実施形態としてブラジャーの例を詳細に説明する。なお、説明において、上下及び左右方向は着用者から見た方向である。また、ブラシャーの構成は左右対称であるため、一方のみについて説明する。
【００１８】
（第１実施形態）
図１は第１実施形態に係るブラジャーの肌側を示す正面図であり、図２は図１におけるＩＩ−ＩＩ線に沿った断面図である。図２では、左側がカップ部の外側、右側はカップ部の肌側を示す。ブラジャー１は、ワイヤフォーム型のブラジャーであり、着用者のバストを覆うように形成された左右一対のカップ部２（３／４カップ）を備える。カップ部２の上縁２ａは凸形状に湾曲して形成され、その下縁２ｂは、バストのバージスラインに合わせるように湾曲して形成されている。左右のカップ部２同士は、前中心側でカップ連結布３によって連結されている。
【００１９】
カップ部２の下縁２ｂには、ワイヤ部４が取り付けられている。ワイヤ部４は、バージスラインに沿うように脇側から前中心側にかけて円弧状に形成され、ワイヤ４ａ及びバイアステープ４ｂから構成されている（図２参照）。ワイヤ４ａは、鋼材、形状記憶合金あるいは樹脂等の素材から形成され、バイアステープ４ｂに包まれて縫い込まれている。バイアステープ４ｂはナイロンやポリエステル等からなる生地によって形成されている。
【００２０】
カップ部２の脇側には、背部に延びるバック部５が取り付けられている。左右のバック部５同士は、伸縮性の素材からなり、その背部の端部に設けられたホック７ａ，７ｂにより互いに係脱自在に連結されている。
【００２１】
カップ部２の上縁２ａには、肩紐部６が取り付けられている。肩紐部６は、伸縮性の織布や編布から紐状に形成され、カップ部２とバック部５とを繋ぐようにカップ部２とバック部５との間に架け渡されている。肩紐部６には長さ調整金具６ａ，６ｂが取り付けられ、着用者が調整金具６ａ，６ｂ間の距離を変更することで肩紐部６の長さを適宜に調整できる。
【００２２】
カップ部２は、カップ状に形成されたカップ本体９と、カップ本体の肌側に着脱自在に取り付けられたパッド１０とを有する。カップ本体９は、バストの形にフィットするように立体的に形成され、バストトップより上方の部分を覆うカップ上部９Ａと、カップ上部９Ａの下方に配置されバストの前中心部分を覆うカップ前中心部９Ｂと、カップ上部９Ａの下方に配置されバストの脇側部分を覆うカップ脇部９Ｃとから構成されている。カップ上部９Ａ、カップ前中心部９Ｂ及びカップ脇部９Ｃは、左右方向に延びる縫着ラインＨ１と、上下方向に延びる縫着ラインＨ２に沿って互いに縫着されている。
【００２３】
図２に示すように、カップ本体９は、外側のカップ表布１１とカップ本体布１２で構成されている。カップ表布１１には合成繊維や天然繊維の織布、編布等の素材が用いられ、カップ本体布１２には、不織布、発泡ポリウレタンのような一定の厚みと保形性、弾力性を有する素材が用いられる。
【００２４】
また、カップ部２の肌側の下部には、ワイヤ部４に沿って帯状に延在する帯状部材１４が設けられている。図１に示すように、帯状部材１４は、一定の幅を有し、着用者のバストの下部ボリュームにフィットするように、ワイヤ部４の湾曲に倣って前中心側から脇側にかけて配置されている。なお、帯状部材１４の幅が１〜４．５ｃｍであることが好ましい。
【００２５】
帯状部材１４の上縁１４ａがカップ部２に、下縁１４ｂがワイヤ部４にそれぞれ縫着されている。帯状部材１４の前中心側端部１４ｃがカップ部２の上縁２ａに、脇側端部１４ｄがカップ部２の脇縁２ｃにそれぞれ縫着されている。本実施形態において、帯状部材１４とカップ部２又はワイヤ部４とは、途切れなく連続に縫着されているが、帯状部材１４とカップ部２又はワイヤ部４との縫着は、必ずしも途切れなく連続に行う必要がなく、場所によって途切れ途切れに行ってもよい。また、帯状部材１４の上縁１４ａがカップ部２に連結されなくてもよい。
【００２６】
カップ部２の肌側において、カップ部２におけるバストトップに対応する位置より下方であって帯状部材１４までの領域２Ａには、収納袋８に収納されるパッド１０が設けられている。パッド１０は、不織布や発泡ポリウレタンからなる中間部材と、この中間部材を包む布材とを貼り合わせることにより形成されている。図１に示すように、収納袋８は脇側に向かって開口されている。そして、パッド１０を収納袋８に収納したり、あるいは収納袋８から取り出したりすることで、カップ本体９に対し着脱自在になっている。従って、例えばパッド１０を収納袋８に装着することで、バスト下部のボリュームを上方に押し上げて、ボリューム感のあるバストを造形することができる。
【００２７】
このように構成されたブラジャー１によれば、帯状部材１４はその上縁１４ａがカップ部２に、下縁１４ｂがワイヤ部４にそれぞれ連結され、着用時にワイヤ部４が着用者のバストを挟む力を補強するので、バストの造形性を向上することができる。すなわち、着用時にワイヤ部４が元に戻ろうとする力がそれに連結する帯状部材１４に伝わり、帯状部材１４がその力を受けて、バスト下部のボリュームを挟んで上方に押し上げる。このようにワイヤ部４と帯状部材１４の協働でワイヤ部４の挟む力を効果的にバストに伝えることができ、バストを支える力をアップすることが可能になる。また、バストを挟む力を補強する帯状部材１４を設けることで、ワイヤ部４の位置を安定させることができるので、アンダーが弱いタイプやアンダーフリータイプのブラジャーであっても、ワイヤ部４が確実にバストを挟むことができ、カップ部２のずり下がりを確実に防止することができる。
【００２８】
しかも、従来と比べてバストを挟んで押し上げる領域が大きくなるので、バストをサポートする効果を高めることでき、バストの造形性を確実に向上することができる。また、これによって肌に触れる領域も大きくなり、ワイヤ部４の肌当たりを和らげることができると共に、脇側からバストのボリュームがはみ出しやすい問題を防止することができる。その結果、良い着用感を維持することができる。
【００２９】
なお、本実施形態において、帯状部材１４は、カップ部２よりも硬い材料から形成されることが好適であり、例えば薄くて、ハリ、コシのある素材により形成されている。このようにすれば、バスト下部のボリュームを挟んで押し上げる効果を高めることができ、バストの造形性の向上を図りやすくなる。また、帯状部材１４の材料は、カップ部２に隣接する側よりも肌側の方が柔らかいことが好適である。このようにすれば、バスト下部のボリュームを挟んで押し上げる効果を高めることができると共に、肌に優しく触れるので、着用感の向上を図ることができる。なお、帯状部材１４は必ずしもカップ部２より硬い材料から形成される必要がなく、柔らかくても一定の厚みやクッション性があるもの、あるいはカップ部２と同素材のものによって形成されてもよい。
【００３０】
以下、図３〜図５を参照して帯状部材の変形例を説明する。図３に示す変形例では、帯状部材１５は、その上縁１５ａが上方に向けて凹形状に湾曲するように形成されている。具体的には、帯状部材１５の幅は、帯状部材１５の全長にわたって均一せず、カップ部２の最下点Ｐの付近では最も狭く、前中心側端部１５ｂと脇側端部１５ｃに近づくにつれ徐々に広がっていく。更に、前中心側と比べて脇側の幅が広く形成されている。
【００３１】
このように構成された帯状部材１５によれば、上述した帯状部材１４と同様な効果を得られる。更に、カップ部２の最下点Ｐの付近よりも前中心側と脇側の幅が大きいため、前中心側と脇側におけるバストを挟む力を大きくすることができる。これによって、前中心側及び脇側に流れがちなバストのボリュームを挟んで押し上げることで、脇側からバストのボリュームがはみ出すのを確実に防止できると共に、バストの形を綺麗に整えることができる。また、脇側の幅が前中心側より広いので、更に脇寄せ効果を高めることができる。
【００３２】
図４に示す変形例では、帯状部材１６は、カップ部２の最下点Ｐの付近で上方に突出するように形成されている。具体的には、前中心側端部１６ｂと脇側端部１６ｃからカップ部２の最下点Ｐ付近までの領域と比べて、カップ部２の最下点Ｐの付近では、上縁１６ａが上方に突出することで帯状部材１６の幅が大きくなっている。
【００３３】
このように構成された帯状部材１６によれば、上述した帯状部材１４と同様な効果を得られる。更に、前中心側端部１６ｂと脇側端部１６ｃよりもカップ部２の最下点Ｐ付近での幅が大きいため、バストボリュームを下方から押し上げる効果を高めることができ、バストに豊かな膨らみを持たせて綺麗なシルエットを形成することができる。
【００３４】
図５に示す変形例では、帯状部材１７は、カップ部２の最下点Ｐから、それぞれワイヤ部４の前中心末端４ｃと脇側末端４ｄに向けて長さの２／３までの領域に配置されている。すなわち、ワイヤ部４に沿ってカップ部２の最下点Ｐから帯状部材１７の前中心側端部１７ａまでの距離が、カップ部２の最下点Ｐからワイヤ部４の前中心末端４ｃまでの距離に対して２／３である。同様に、ワイヤ部４に沿ってカップ部２の最下点Ｐから帯状部材１７の脇側端部１７ｂまでの距離が、カップ部２の最下点Ｐからワイヤ部４の脇側末端４ｄまでの距離に対して２／３である。このように着用者バスト下部のボリュームに対応する領域に帯状部材１７を配置させることで、バストを挟んで上方に押し上げる効果を確保することができる。
【００３５】
（第２実施形態）
図６は第２実施形態に係るブラジャーの肌側を示す正面図である。第２実施形態に係るブラジャー１８は、土台部１９を有する点において第１実施形態と相違している。すなわち、左右のカップ部２はそれぞれ土台部１９に縫着されている。左右カップ部２同士は、この土台部１９によって互いに連結されている。ブラジャー１８のその他の構成は、上述したブラジャー１の構成と同様であるため、同一符号を付して重複説明を省略する。このように構成されたブラジャー１８は、第１実施形態と同様な効果を得られる。更に、土台部１９を備えることにより、カップ部２の安定性を高めることができ、カップ部２のズレの発生を防止し、着用感の向上を図り易くなる。
【００３６】
（第３実施形態）
図７は第３実施形態に係るブラジャーの肌側を示す正面図である。第３実施形態に係るブラジャー２０は、パッド１０及びパッド１０を収納する収納袋８を備えない点において第１実施形態と相違している。その他の構成は、上述したブラジャー１の構成と同様であるため、同一符号を付して重複説明を省略する。このように構成されたブラジャー２０は、第１実施形態と同様な効果を得られる。
【００３７】
（第４実施形態）
図８は第４実施形態に係るブラジャーの肌側を示す正面図であり、図９は図８におけるＩＸ−ＩＸ線に沿った断面図である。第４実施形態に係るブラジャー２１は、カップ部２２はモールド成形により一体的に形成される点において第１実施形態と相違している。具体的には、カップ部２２は、第１実施形態に係るカップ上部９Ａ、カップ前中心部９Ｂ及びカップ脇部９Ｃに対応する部分が、モールド成形により一体化されている。
【００３８】
カップ部２２は、外側のカップ表布２３と肌側のカップ裏布２４を有し、その間に中間部材２５を挟んで構成されている。カップ表布２３及びカップ裏布２４には合成繊維や天然繊維の織布、編布等の素材が用いられ、中間部材２５には発泡ポリウレタンのような一定の厚みと保形性、弾力性を有する素材が用いられる。
【００３９】
図９に示すように、カップ部２２におけるバストトップに対応する位置より下方であって帯状部材１４までの領域２２Ａが、肌側に大きく膨らんでいる。この場合には、バスト下部のボリュームを効果的に押し上げることにより、バストに膨らみを持たせて、ボリューム感のある上向きのバストを造形することができる。なお、ブラジャー２１のその他の構成は、上述したブラジャー１の構成と同様のため、同一符号を付して重複説明を省略する。
【００４０】
本実施形態に係るブラジャー２１を作製する際に、カップ部２２をモールド成形した後に、成形されたカップ部２２に接着や縫着などで帯状部材１４を取り付ければよく、あるいはカップ部２２と帯状部材１４とを同時にモールド成形することでこれらを一体化してもよい。
【００４１】
このように構成されたブラジャー２１は、第１実施形態と同様な効果を得られる。更に、カップ部２２がモールド成形により一体的に形成されるので、カップ部２２を容易に形成することができると共に、複数のパーツを立体的に縫着する手間を省くことができ、作業性の向上を図ることができる。しかも、複数のパーツを縫着する縫い目が生じないため、縫い目による肌への不快感を与えることはなく、快適な着け心地が得られる。
【００４２】
本発明は、上記実施形態及び変形例に限定されるものではない。例えば、上記の実施形態では、カップ部２を３／４カップとしたが、３／４カップに限らず、フルカップや１／２カップのブラジャー等に適用される。また、本発明は前中心を係脱自在のホックで連結するフロントホック型ブラジャー、肩紐部を有しないストラップレスタイプにも適用される。
【００４３】
また、上記の実施形態では、帯状部材とワイヤ部との連結方法として縫着又は接着を挙げたが、その他の連結方法を用いてもよい。更に、上記の実施形態では、ブラジャーの例を挙げて説明したが、本発明はブラスリップ、ブラキャミソール、スリーインワン、ボディスーツ、レオタード、水着、ブラドレス等のカップ部を有する衣類にも適用される。
【符号の説明】
【００４４】
１，１８，２０，２１…ブラジャー、２，２２…カップ部、２ｂ…下縁、４…ワイヤ部、５…バック部、１０…パッド、１４，１５，１６，１７…帯状部材、１９…土台部、Ｐ…カップ部の最下点。
【図２】
0005923909.tif 000002
【図９】
0005923909.tif 000003
【図１】
0005923909.tif 000004
【図３】
0005923909.tif 000005
【図４】
0005923909.tif 000006
【図５】
0005923909.tif 000007
【図６】
0005923909.tif 000008
【図７】
0005923909.tif 000009
【図８】
0005923909.tif 000010